(57)【要約】      （修正有）【課題】  注出時に身体ケア組成物にホイップしたクリーム状の外観を付与することができる注出キャップを提供する。【解決手段】  容器に取り付けられ頂壁１１に注出開口部２０を形成したキャップ本体１０と、開位置および閉位置の間で移動自在の蓋体３０から成り、容器内に収納された約１０，０００ｍＰａ・ｓないし約５０，０００ｍＰａ・ｓの粘性を有する身体ケア組成物を注出開口部から注出する注出キャップにおいて、キャップ本体は、頂壁にドーム状部分２１を形成し、このドーム状部分の中央部分に形成した中央開口部とこの中央開口部から外側に放射状に伸びる少なくとも３ケの脚状開口部から注出開口部を形成する構成とし、蓋体は、閉位置で注出開口部から身体ケア組成物が漏れるのを防ぐ密閉機能を有する構成とする。【選択図】図１
2007119024.tif 000002
【特許請求の範囲】
【請求項１】
容器に取り付けられ頂壁に注出開口部を形成したキャップ本体と、開位置および閉位置の間で移動自在の蓋体からなり、容器内に収納された約１０，０００ｍＰａ・ｓないし約５０，０００ｍＰａ・ｓの粘度を有する身体ケア組成物を前記注出開口部から注出する注出キャップであって、前記キャップ本体は、頂壁にドーム状部分を形成し、該ドーム状部分の中央部分に形成した中央開口部と、該中央開口部から外側に放射状に伸びる少なくとも３ケの脚状開口部から前記注出開口部を形成する構成とし、前記蓋体は、閉位置で前記注出開口部から身体ケア組成物が漏れるのを防ぐ密閉機能を有する構成とした注出キャップ。
【請求項２】
蓋体において、該蓋体の内面に内周壁に第１突条を周設した第１筒片を垂下設し、キャップ本体において、頂壁に形成した開口部周縁から外周壁に第２突条を周設した第２筒片を起立設し、該第２筒片の上端にドーム状部分を形成し、前記蓋体が閉位置で、前記第１筒片が第２筒片に外嵌し前記第１突条と第２突条で密閉機能が発揮される構成とした請求項１記載の注出キャップ。
【請求項３】
蓋体の閉位置でドーム状部分を覆うように、該蓋体の内面に凹部を形成し、密閉機能が発揮される構成とした請求項１記載の注出キャップ。
【請求項４】
蓋体の内面に、注出開口部の少なくとも中央開口部の形状に対して相補性を有する形状をしたシール突片を突設し、前記蓋体が閉位置で、該シール突片が注出開口部の少なくとも中央開口部に嵌入して密閉機能が発揮される構成とした請求項１記載の注出キャップ。
【請求項５】
蓋体の内面に、注出開口部の少なくとも中央開口部と脚状開口部の長さの約１０ないし約３０％を含む部分の形状に対して相補性を有する形状をしたシール突片を突設し、前記蓋体が閉位置で、該シール突片が注出開口部の少なくとも中央開口部と脚状開口部の約１０ないし約３０％を含む部分に嵌入して密閉機能が発揮される構成とした請求項１記載の注出キャップ。
【請求項６】
蓋体を、ヒンジを介してキャップ本体に連結し、開位置および閉位置の間で移動可能に構成した請求項１記載の注出キャップ。
【請求項７】
蓋体の内面に、該蓋体が閉位置でドーム状部分を覆うように凹部を形成すると共に、外面の該凹部に対向する位置に凸部を形成した請求項１記載の注出キャップ。
【請求項８】
中央開口部の径と脚状開口部の長さの比を約２：１ないし約１：８の範囲とした請求項１記載の注出キャップ。
【請求項９】
中央開口部の径と脚状開口部の長さの比を約１：１ないし約１：６の範囲とした請求項１記載の注出キャップ。
【請求項１０】
脚状開口部の平均幅と長さの比を約１：１ないし約１：８の範囲とした請求項１記載の注出キャップ。
【請求項１１】
脚状開口部の平均幅と長さの比を約１：２ないし約１：６の範囲とした請求項１記載の注出キャップ。
【請求項１２】
脚状開口部の形状を矩形状とした請求項１記載の注出キャップ。
【請求項１３】
ドーム状部分の高さと径の比を約１：２ないし約１：５の範囲とした請求項１記載の注出キャップ。
【請求項１４】
ドーム状部分の高さと径の比を約１：３ないし約１：４の範囲とした請求項１記載の注出キャップ。
【請求項１５】
注出開口部が４〜１０ケの脚状開口部を有する請求項１記載の注出キャップ。
【請求項１６】
注出開口部が５〜８ケの脚状開口部を有する請求項１記載の注出キャップ。
【請求項１７】
容器内に収納される身体ケア組成物の粘度を約１８，０００ｍＰａ・ｓないし約３５，０００ｍＰａ・ｓとした請求項１記載の注出キャップ。
【発明の詳細な説明】
【技術分野】
【０００１】
本発明は、身体ケア組成物を収納した容器に取り付けて使用され、注出した際にこの身体ケア組成物にホイップしたクリーム状の外観をあたえる注出キャップに関する。
【背景技術】
【０００２】
従来より、各種の身体ケア組成物が各種の容器に収納され、容器に取り付けた注出キャップから注出され使用されている。
この種の容器には、例えば、注出用の開口部を有する注出キャップを備えたチューブ容器や、壜容器、あるいはポンプを備えた壜容器などがある（例えば特許文献献１参照）。
【特許文献１】実用新案登録第２６０３８２０号
【０００３】
また、この種の身体ケア組成物には、例えば、皮膚クレンジング組成物、皮膚コンディショニング組成物、日焼け止め組成物、および毛髪用シャンプー組成物、ヘア・コンディショニング組成物、ヘア・スタイリング組成物などのヘア・ケア組成物などがある。この種の身体ケア組成物は、ローション、クリーム、ジェル、エマルジョンなどの状態で提供される。
【発明の開示】
【発明が解決しようとする課題】
【０００４】
上記した身体ケア組成物に係る商品では、他の同種の商品との差別化を図るために、その商品のクレンジング、コンディショニング、および／またはヘア・スタイリング効果を一層強調する必要があるし、このような効果に係る商品の特長を消費者に認知してもらう必要がある。またさらに、上記したコンディショニング等の効果に加えて、外観上の美しさ、あるいは面白さ（以下、美的外観等と記す。）と云う観点から消費者をひきつけて他の商品と差別化する必要もある。
すなわち、身体ケア組成物において、上述したコンディショニング等の効果を一層強調し、および／またはその効果に係る商品の特長を消費者に十分認知させ、および／または注出した組成物に美的外観等を付加することができる注出キャップが求められているが現在のところ上記の特長の全てを備えた商品は存在していない。
【０００５】
そこで本願発明の技術的な課題は、注出キャップにおいて注出時に身体ケア組成物にホイップしたクリーム状の外観を付与することができる、特には注出開口部の構成を見出すことにあり、もって身体ケア組成物においてコンディショニング等の効果を一層強調し、および／またはその効果に係る商品の特長を消費者に十分認知させ、および／または注出した組成物に美的外観等を付加することができる注出キャップを提供することを目的とする。
【課題を解決するための手段】
【０００６】
上述した技術的課題を解決する本発明の主たる手段は、
容器に取り付けられ頂壁に注出開口部を形成したキャップ本体と、開位置および閉位置の間で移動自在の蓋体から成り、この容器内に収納された約１０，０００ｍＰａ・ｓないし約５０，０００ｍＰａ・ｓの粘度を有する身体ケア組成物を前記注出開口部から注出する注出キャップであって、
キャップ本体は、頂壁にドーム状部分を形成し、このドーム状部分の中央部分に形成した中央開口部と、この中央開口部から外側に放射状に伸びる少なくとも３ケの脚状開口部から注出開口部を形成する構成とすること、
前記蓋体は、閉位置で前記注出開口部から身体ケア組成物が漏れるのを防ぐ密閉機能を有する構成とすること、
にある。
【０００７】
この本発明の身体ケア組成物用の注出キャップは、特にコンディショナー組成
の効果に係る商品の特長を消費者に十分認知させることができ、および／または本発明の身体ケア組成物用の注出キャップは、注出した組成物に美的外観等を付加することができ、特にホイップしたクリーム状の外観を付与することができる。
【０００８】
本発明の注出キャップから注出される身体ケア組成物には、その表面に複数の嶺部が形成される。そしてこの嶺部により、組成物が高粘度であることを効果的に見せることができ、身体ケア組成物の効果、特にコンディショナー組成物のコンディショニング効果を一層強調し、および／またはその効果に係る商品の特長を消費者に十分認知させることができると考えられる。
ここで、コンディショニング効果の改良を求める消費者に対しては、組成物が高粘度であることを一層強調し、および／または認識させることにより、その組成物の改良されたコンディショニング効果を一層強調し、および／または認識させることができるものと考えられる。
【０００９】
また、このような嶺部を有する注出された身体ケア組成物は、公知の開口部から注出されて嶺部を有さない身体ケア組成物と比較して、改良された美的外観等を有すると考えられる。このように、身体ケア組成物の使用効果を一層強調し、および／または認知せしめることができ、および／または美的外観を有することから、比較的明瞭な嶺部が好まれる。
【発明の効果】
【００１０】
本発明の主たる手段は上記したようなものであり、
本発明の注出キャップは、注出時に身体ケア組成物にホイップしたクリーム状の外観を付与することができ、身体ケア組成物においてコンディショニング等の効果を一層強調し、および／またはその効果を消費者に十分認知させ、および／または注出した組成物に美的外観等を付加することができる。
なお、本発明の上記および上記以外の作用効果は、添付の図面を参照して行なう以下の説明から明らかとなろう。
【発明を実施するための最良の形態】
【００１１】
以下、図面も参照しながら本発明の注出キャップの実施形態を説明する。
なお、以下の説明において、「からなる」なる用語は、本発明の作用効果に影響しない範囲で、他の処置、他の構成要素を付加することができることを意味し、この用語は「構成される」および「基本的に構成される」という用語を含む。
また、百分率、部分、および比率は、他にとくに指定のない限り、すべて、本発明の組成物の全重量に対するものである。列挙された成分に関する重量は、すべて、活性レベルのものであり、したがって、市販の材料に含まれる基材、副産物は含まない。また、本明細書において「混合物」は、材料の単なる組み合わせ、およびそれらの組み合わせから化合物が生じる場合にはそれらの化合物を含む。
【００１２】
図１〜図６は本発明の注出キャップの実施形態の一例を示すものであり、この注出キャップは容器に取り付けられるキャップ本体１０と、蓋体３０からなる。
以下、キャップ本体１０、注出開口部２０、蓋体３０、密閉機能、身体組成物についてそれぞれ説明する。
【００１３】
［キャップ本体について］
キャップ本体１０は、容器に取り付けられる。
図１〜図６に示す実施形態にあっては、キャップ本体１０は、ほぼ円筒状の形状を有し、頂壁１１およびこの頂壁１１から垂下設される側壁１２を有する。キャップ本体１０は、螺合または嵌合などの任意の適当な方法によって容器に固定することができ、あるいは容器の本体と一体形成とすることもできる。図示のキャップ本体１０は、ほぼ円形の平断面形状であるが、矩形等他の形状あるいは構成とすることもできる。
【００１４】
［注出開口部について］
上記のキャップ本体１０は、頂壁１１に注出開口部２０を有する。本発明にあっては、このキャップ本体１０は、さらに、頂壁１１上にドーム状部分２１を有し、注出開口部２０は、このドーム状部分２１に開口形成される。このように注出開口部２０がドーム状部分２１に形成されると、注出開口部２０が平坦な部分に形成された場合と比較して、注出された身体ケア組成物の注出物に、より明確に嶺部を形成させることができる。
【００１５】
この注出開口部２０は、中央開口部２２およびこの中央開口部２２から外側に放射状に伸びる少なくとも三ケの脚状開口部２３を有する。（図３参照）ここで注出された身体ケア組成物の美的外観等を改良するためには、好ましくは４ないし１０ケの脚状開口部２３を形成する、さらに好ましくは５ないし８ケの脚状開口部２３を形成するのがよい。
【００１６】
図示の実施形態にあっては、図１と図２に示されるように、注出開口部２０はキャップ本体１０の頂壁１１上に形成されたドーム状部分２１に開口形成されており、またこの注出開口部２０は図３に示されるように中央開口部２２と8ケの脚状開口部２３を有する。
【００１７】
注出された身体ケア組成物に明確に嶺部が形成されるためには、注出開口部２０の他の詳細な構造も重要である。これらの詳細は、例えば、中央開口部２２の直径と脚状開口部２３の長さの比、脚状開口部２３の幅と長さの比、その形状、および／またはドーム状部分２１の高さと直径の比を含む。
中央開口部２２の直径と脚状開口部２３の長さの比は、好ましくは約２：１ないし約１：８、より好ましくは約１：１ないし約１：６である。
また、脚状開口部２３の平均幅と長さの比は、好ましくは約１：１ないし約１：８、より好ましくは約１：２ないし約１：６である。
【００１８】
脚状開口部２３は矩形状の形状とすることにより、中央開口部２２と脚状開口部２３からなる注出開口部２０は、アスタリスク状（asterisk-like）の形状を有するものとすることができる。また、図７に示されるように三角形の形状とすることにより、中央開口部２２と脚状開口部２３からなる注出開口部２１は、星形状の形状を有するものとすることもできる。
【００１９】
そして、矩形状の形状の場合は、とくに縦長長方形状が好ましいが、このような矩形状の形状のものにあっても、上記した幅と長さの比の範囲のものが用いられる。
また三角形の場合は、特に鋭角三角形の形状が好ましいが、このような鋭角三角形の形状のものにあっても上記の幅と長さの比のものであって、脚状開口部２３の下端部２３ａ（図７参照）に位置する角部の角度を約５°ないし約３０°とするのがよい。
【００２０】
また、ドーム状部分２０の高さと直径の比は、好ましくは約１：２ないし約１：５、より好ましくは約１：３ないし約１：４の範囲とするのがよい。
【００２１】
［蓋体について］
本発明の注出キャップは、使用時の開位置と不使用時の閉位置の間で移動自在の蓋体３０を有する。特に、後述する密閉機能（特に密閉機能（ｉｉｉ））との適合性の観点から、蓋体３０はヒンジ３１によってキャップ本体１０に接続され、上端が弾性反転する方式のものがよい。もちろん他の方式の蓋体、例えば嵌合式または螺合式の蓋も本発明に使用することができる。
【００２２】
図１〜６に示される実施形態にあっては、蓋体３０は、ほぼ円形の頂板３０ａを有し、キャップ本体１０の形状と相補性を有しているが、キャップ本体１０の形状と相補性を有する限り、他の任意の形状とすることができる。図示の蓋体３０は、可撓性のヒンジ３１によってキャップ本体１０に接続された弾性反転する方式のものである。そして、ヒンジ３１によって、この蓋体３０は開位置と閉位置の間を旋回することが可能となる。開位置ではこの蓋体３０は上方に旋回してキャップ本体１０の頂壁１１から離れ、そして容器から身体ケア組成物を注出することができるようになる。また、閉位置では図５と図６に示されるようにこの蓋体３０はキャップ本体１０の頂壁１１を覆う。
【００２３】
［密閉機能について］
上記説明した蓋体１０は、密閉機能を有し、この密閉機能によって、蓋体１０が閉位置にあるときに身体ケア組成物の漏出が防止される。
この密閉機能は、少なくとも下記の（ｉ）−（ｖｉ）の一つを含む。
（ｉ）  蓋体が閉位置で、蓋体の内面に垂下設した第１筒片の内周面、および
キャップ本体の頂壁に形成された開口部を囲んで起立設した第２筒片の外周面にそれぞれ周設された第１突条と第２突条により構成される密閉機能。
ここで、ドーム状部分は第２筒片の上端に形成される。すなわち第２筒片はドーム状部分を嵩上げするように形成されている。
なお、図示される実施形態にあっては第１筒片、第１突条、第２筒片、第２突条条はそれぞれ符号３２、３２ａ、２４、２４ａで示される。
（ｉｉ）  蓋体の内面に形成された凹部による密閉機能。
この凹部は、蓋体が閉位置にあるときドーム状部分をぴったり覆うように形成されている。
（ｉｉｉ）  蓋体の内面に形成されたシール突片による密閉機能。
このシール突片は注出開口部の少なくとも中央開口部の形状に対して相補性を有する形状を有し、蓋体が閉位置にあるとき注出開口部の少なくとも中央開口部に嵌入するように蓋体の内面に配設されている。
（ｉｖ）  以上（ｉ）〜（ｉｉｉ）の組み合わせ。
【００２４】
密閉機能（ｉｉ）を有するとき、蓋体は、その外面の、上記凹部に対向する位置に凸部を有することが好ましい。このような構成によって、この蓋体は、成形品全体でほぼ同じ肉厚を有するものとすることが可能であり、蓋体外面のヒケを防止し成形性をよくすることができる。
【００２５】
密閉機能（ｉｉｉ）を有するとき、シール突片は注出開口部の中央開口部に対して相補性を有することに加えて、脚状開口部の形状に対しても相補性を有する形状とするのが好ましい。そして蓋体が閉位置にあるとき、シール突片は、注出開口部の中央開口部に嵌入すると共に、脚状開口部の長さの少なくとも約５〜約１００％、より好ましくは約１０〜約５０％、さらに好ましくは約１０％〜３０％の長さにまで嵌入するように構成するのがよい。
【００２６】
図１〜６に図示した実施形態の注出キャップは上記した（ｉ）−（ｉｉｉ）のすべての密閉機能を有する。
図４と図６に示されるように、この注出キャップの密閉機能（ｉ）は、蓋体１０が閉位置にあるときに第１突条３２ａと第２突条２４ａが係止するようにして構成される（図６参照）。ここで蓋体３０の頂板３０ａの内面には第１筒片３２が垂下設されており、この第１筒片３２の内周面下端部に上記第１突条３２ａが周設されている。また、キャップ本体１０の頂壁１１には中央部に開口部１１ａが形成され、この開口部１１ａ周縁からその上端部にドーム状部分２１を形成した第２筒片が起立設されており、この第２筒片の外周面上端部に上記第２突条２４ａが周設されている。
【００２７】
注出キャップが上記のように密閉機能（ｉ）を有する場合には、蓋体１０を開閉する際の、第１突条３２ａと第２突条２４ａの脱係止あるいは係止に伴ってクリック音が鳴るようにするとよい。このクリック音により使用者が蓋体１０の開閉を音によっても確認することができる。
【００２８】
また、図４と図６に示されるようにこの注出キャップは密閉機能（ｉｉ）も有する。蓋体３０の頂板３０ａの内面には凹部３３が、蓋体３０の閉位置でドーム状部分２１をぴったり覆うように配設、形成されており、この凹部３３によりドーム状部分２１を覆うことにより密閉機能（ｉｉ）が発揮される（図６参照）。
なお、図４〜図６に示されるように蓋体３０の頂板３０ａの外面には、前記凹部３３に対向する位置に凸部３４が形成されている。
【００２９】
また、図３、図４と図６に示されるようにこの注出キャップは密閉機能（ｉｉｉ）も有する。蓋体３０の頂板３０ａの内面に、注出開口部２０の少なくとも中央開口部２２の形状に対して相補性を有する形状をしたシール突片３５が突設されており、このシール突片３５は、蓋体３０が閉位置にあるときに注出開口部２０の少なくとも中央開口部２２に嵌入し、密閉機能（ｉｉｉ）が発揮される。そして、図３と図６に示されるように、この実施形態において、シール突片３５の形状は中央開口部２２の形状に対して相補性を有することに加えて、脚開口部２３の長さの約１０〜約３０％を含む部分の形状に対しても相補性を有する形状としている。
【００３０】
なお、密閉機能は、密閉機能（ｉ）と（ｉｉｉ）の組み合わせ、および密閉機能（ｉｉ）と（ｉｉｉ）の組み合わせなどの他の組み合わせを有するものとすることもできる。
【００３１】
［容器］
本発明の注出キャップは容器に固定されて使用される。容器としては、例えば、チューブ状のもの、壜体状のものが含まれるが、本発明にあっては、身体ケア組成物は容器の本体をスクイズすることによって開口部を通じて容器から注出されることが好ましい。もちろん、身体ケア組成物を容器から注出するために他の方法を使用することも可能である。
【００３２】
［身体ケア組成物］
本発明に係る身体ケア組成物は、注出物の美的外観等を改良するために、約１０，０００ｍＰａ・ｓないし約５０，０００ｍＰａ・ｓ、好ましくは約１８，０００ｍＰａ・ｓないし約３５，０００ｍＰａ・ｓの粘度を有する。
なお、上記粘度はブルックフィールド（Brookfield）粘度計を用い、２７．６℃、回転速度１．０ｒｐｍの条件で測定した値である。
【００３３】
本発明の身体ケア組成物は、例えば、皮膚クレンジング組成物、皮膚コンディショニング組成物、日焼け止め組成物、および毛髪用シャンプー組成物、ヘア・コンディショニング組成物、ヘア・スタイリング組成物などのヘア・ケア組成物を含む。この種の身体ケア組成物は、上記の粘度を有する限りにおいて、ローション、クリーム、ジェル、エマルジョンなどの状態をとることができる。
【００３４】
身体ケア組成物の中では、コンディショニング効果を有するもの、および／またはコンディショニング剤を含むものが好ましく、カチオン性ポリマー、カチオン性表面活性剤、シリコン、脂肪族化合物、およびそれらの混合物からなるグループから選ばれた少なくとも一つのコンディショニング剤を含むコンディショニング用組成物がより好ましい。とくに好ましいのは、カチオン性表面活性剤および脂肪族化合物を含むコンディショニング用組成物であり、カチオン性表面活性剤および脂肪族化合物は、水性キャリアと共にゲルマトリックスを形成し、このようなゲルマトリックスは、湿った髪の毛に塗布するときには滑らかな感触をまた乾いた髪の毛では柔らかさとしっとり感をあたえなどさまざまなコンディショニング効果を得るのに適している。
【００３５】
組成物がゲルマトリックスを含む場合には、このゲルマトリックスの安定性の面から、アニオン性表面活性剤やアニオン性ポリマーをほぼ含まないものであることが好ましい。本発明にあっては、「アニオン性表面活性剤やアニオン性ポリマーをほぼ含まない」とは、この組成物のアニオン性表面活性剤およびアニオン性ポリマーを合わせた含有量が、１％以下、好ましくは０．５％以下、より好ましくは完全に０％であることを意味する。
【００３６】
身体ケア組成物にとって有用なカチオン性表面活性剤は、例えば、塩化ビヘニル・トリメチル・アンモニウム、塩化セチル・トリメチル・アンモニウム、塩化ステアリル・トリメチル・アンモニウムなどの第四アンモニウム塩を含む。
他の有用なカチオン性表面活性剤としては、例えば、アミドアミンと酸の塩であって、酸に対するアミドアミンのモル比が約１：０．３ないし約１：１．３の塩を挙げることができる。このようなアミドアミンと酸の塩の例としては、ステアロマイドプロピルジメチルアミンとＬ−グルタミン酸、乳酸、クエン酸、およびそれらの混合物の少なくとも一つからなるものを挙げることができる。身体ケア組成物に有用な脂肪族化合物の例としては、セチル・アルコール、ステアリル・アルコール、およびビヘニル・アルコールを挙げることができる。
【００３７】
カチオン性表面活性剤は、重量で約０．１％ないし約１０％のレベルで組成物に含めることができる。脂肪族化合物は、約５％ないし約２０％のレベルで組成物に含めることができる。脂肪族化合物に対するカチオン性表面活性剤の重量比は、ゲルマトリックスの形成の面から、好ましくは約１：１ないし１：１０の範囲、より好ましくは１：１ないし１：４の範囲である。
【００３８】
［実施例］
以下の実施例は、本発明の範囲における上記の実施形態をさらに具体的に明らかに示すものである。これらの例は、あくまで本発明をよりよく理解されるようにするためのものであり、本発明の思想および範囲を逸脱することなくさまざまな変更および修正を行なうことができ、多数の様々なバリエーションが可能であり、これらの例は本発明を限定するものではない。
実施例１
図１〜図６に示す注出キャップにおいて、中央開口部２０の直径は約２．６ｍｍである。また矩形状の８ケの脚状開口部２３を有し、この脚状開口部２３の幅および長さは、それぞれ約０．６ｍｍおよび約３．７ｍｍである。ドーム状部分２１の高さおよび直径は、それぞれ約２．５ないし２．８ｍｍ、および約１０ｍｍである。
【００３９】
この注出キャップは、アンダーカット嵌合によりチューブ容器に組付き固定されて使用されるものであり、このチューブ容器には、約２０，０００ｍＰａ・ｓないし２５，０００ｍＰａ・ｓの粘度を有し、カチオン性表面活性剤と脂肪族化合物からなるゲルマトリックスからなる毛髪コンディショニング組成物を収容している。この毛髪コンディショニング組成物は、容器の本体をスクイズすることによって、注出開口部２０を経由して容器から注出することができる。
【００４０】
注出された毛髪コンディショニング組成物の注出物は明確に嶺部が形成され、ホイップしたクリーム状の外観を呈するものであり、このような外観により、身体ケア組成物（本実施例では毛髪コンディショニング組成物）のコンディショニング効果をより強調して示すことができ、および／またはその効果を消費者に認知させることができ、および／またはその注出物に美的外観等を付与することができる。
【００４１】
なお、本発明の説明の部分に引用された文書は、いずれも参考として本明細書に記載したものであり、いずれの文書引用も本発明を教示または開示するものではない。
また、本明細書の用語の意味または定義が参照のために組み込まれた文書の用語の意味または定義と異なる場合には、本明細書の用語にあたえられた意味または定義が優先する。
【００４２】
以上、本発明を、特定の実施形態によって図示および説明したが、本発明の思想および範囲を逸脱することなくさまざまな変更および修正を行なうことができることは、当業者に明らかであろう。したがって、そのようなすべての変更および修正は、本発明の範囲に含まれる。
【産業上の利用可能性】
【００４３】
本発明の注出キャップは、身体ケア組成物の注出物に明確に嶺部が形成して、ホイップしたクリーム状の外観を呈することができるものであり、様々な種類の身体ケア組成物、あるいは様々な形状の容器に適用することができ、幅広い展開が期待される。
【図面の簡単な説明】
【００４４】
【図１】本発明の注出キャップの一実施形態を示し、蓋体を開位置とした状態の全体斜視図である。
【図２】図１の注出キャップの側面図である。
【図３】図１の注出キャップの平面図である。
【図４】図１の注出キャップの縦断側面図である。
【図５】図１の注出キャップで、蓋体を閉位置とした状態の全体斜視図である。
【図６】図５の状態の注出キャップの縦断側面図である。
【図７】注出開口部の他の形状例を示す平面図である。
【符号の説明】
【００４５】
１０；キャップ本体
１１；頂壁
１１ａ；開口部
１２；側壁
２０；注出開口部
２１；ドーム状部分
２２；中央開口部
２３；脚状開口部
２３ａ；下端部
２４；第２筒片
２４ａ；第２突条
３０；蓋体
３０ａ；頂板
３１；ヒンジ
３２；第１筒片
３２ａ；第１突条
３３；凹部
３４；凸部
３５；シール突片
【図１】
2007119024.tif 000003
【図２】
2007119024.tif 000004
【図３】
2007119024.tif 000005
【図４】
2007119024.tif 000006
【図５】
2007119024.tif 000007
【図６】
2007119024.tif 000008
【図７】
2007119024.tif 000009
【手続補正書】
【提出日】平成18年10月30日(2006.10.30)
【手続補正１】
【補正対象書類名】明細書
【補正対象項目名】０００２
【補正方法】変更
【補正の内容】
【０００２】
従来より、各種の身体ケア組成物が各種の容器に収納され、容器に取り付けた注出キャップから注出され使用されている。
この種の容器には、例えば、注出用の開口部を有する注出キャップを備えたチューブ容器や、壜容器、あるいはポンプを備えた壜容器などがある（例えば特許文献１参照）。
【特許文献１】実用新案登録第２６０３８２０号
【手続補正２】
【補正対象書類名】明細書
【補正対象項目名】００２３
【補正方法】変更
【補正の内容】
【００２３】
［密閉機能について］
上記説明した蓋体１０は、密閉機能を有し、この密閉機能によって、蓋体１０が閉位置にあるときに身体ケア組成物の漏出が防止される。
この密閉機能は、少なくとも下記の（ｉ）−（ｖｉ）の一つを含む。
（ｉ）  蓋体が閉位置で、蓋体の内面に垂下設した第１筒片の内周面、および
キャップ本体の頂壁に形成された開口部を囲んで起立設した第２筒片の外周面にそれぞれ周設された第１突条と第２突条により構成される密閉機能。
ここで、ドーム状部分は第２筒片の上端に形成される。すなわち第２筒片はドーム状部分を嵩上げするように形成されている。
なお、図示される実施形態にあっては第１筒片、第１突条、第２筒片、第２突条はそれぞれ符号３２、３２ａ、２４、２４ａで示される。
（ｉｉ）  蓋体の内面に形成された凹部による密閉機能。
この凹部は、蓋体が閉位置にあるときドーム状部分をぴったり覆うように形成されている。
（ｉｉｉ）  蓋体の内面に形成されたシール突片による密閉機能。
このシール突片は注出開口部の少なくとも中央開口部の形状に対して相補性を有する形状を有し、蓋体が閉位置にあるとき注出開口部の少なくとも中央開口部に嵌入するように蓋体の内面に配設されている。
（ｉｖ）  以上（ｉ）〜（ｉｉｉ）の組み合わせ。
【手続補正３】
【補正対象書類名】明細書
【補正対象項目名】００２９
【補正方法】変更
【補正の内容】
【００２９】
また、図３、図４と図６に示されるようにこの注出キャップは密閉機能（ｉｉｉ）も有する。蓋体３０の頂板３０ａの内面に、注出開口部２０の少なくとも中央開口部２２の形状に対して相補性を有する形状をしたシール突片３５が突設されており、このシール突片３５は、蓋体３０が閉位置にあるときに注出開口部２０の少なくとも中央開口部２２に嵌入し、密閉機能（ｉｉｉ）が発揮される。そして、図３と図６に示されるように、この実施形態において、シール突片３５の形状は中央開口部２２の形状に対して相補性を有することに加えて、脚状開口部２３の長さの約１０〜約３０％を含む部分の形状に対しても相補性を有する形状としている。
【手続補正４】
【補正対象書類名】明細書
【補正対象項目名】００３４
【補正方法】変更
【補正の内容】
【００３４】
身体ケア組成物の中では、コンディショニング効果を有するもの、および／またはコンディショニング剤を含むものが好ましく、カチオン性ポリマー、カチオン性界面活性剤、シリコン、脂肪族化合物、およびそれらの混合物からなるグループから選ばれた少なくとも一つのコンディショニング剤を含むコンディショニング用組成物がより好ましい。とくに好ましいのは、カチオン性界面活性剤および脂肪族化合物を含むコンディショニング用組成物であり、カチオン性界面活性剤および脂肪族化合物は、水性キャリアと共にゲルマトリックスを形成し、このようなゲルマトリックスは、湿った髪の毛に塗布するときには滑らかな感触をまた乾いた髪の毛では柔らかさとしっとり感をあたえるなどさまざまなコンディショニング効果を得るのに適している。
【手続補正５】
【補正対象書類名】明細書
【補正対象項目名】００３５
【補正方法】変更
【補正の内容】
【００３５】
組成物がゲルマトリックスを含む場合には、このゲルマトリックスの安定性の面から、アニオン性界面活性剤やアニオン性ポリマーをほぼ含まないものであることが好ましい。本発明にあっては、「アニオン性界面活性剤やアニオン性ポリマーをほぼ含まない」とは、この組成物のアニオン性界面活性剤およびアニオン性ポリマーを合わせた含有量が、１％以下、好ましくは０．５％以下、より好ましくは完全に０％であることを意味する。
【手続補正６】
【補正対象書類名】明細書
【補正対象項目名】００３６
【補正方法】変更
【補正の内容】
【００３６】
身体ケア組成物にとって有用なカチオン性界面活性剤は、例えば、塩化ビヘニル・トリメチル・アンモニウム、塩化セチル・トリメチル・アンモニウム、塩化ステアリル・トリメチル・アンモニウムなどの第四アンモニウム塩を含む。
他の有用なカチオン性界面活性剤としては、例えば、アミドアミンと酸の塩であって、酸に対するアミドアミンのモル比が約１：０．３ないし約１：１．３の塩を挙げることができる。このようなアミドアミンと酸の塩の例としては、ステアロマイドプロピルジメチルアミンとＬ−グルタミン酸、乳酸、クエン酸、およびそれらの混合物の少なくとも一つからなるものを挙げることができる。身体ケア組成物に有用な脂肪族化合物の例としては、セチル・アルコール、ステアリル・アルコール、およびビヘニル・アルコールを挙げることができる。
【手続補正７】
【補正対象書類名】明細書
【補正対象項目名】００３７
【補正方法】変更
【補正の内容】
【００３７】
カチオン性界面活性剤は、重量で約０．１％ないし約１０％のレベルで組成物に含めることができる。脂肪族化合物は、約５％ないし約２０％のレベルで組成物に含めることができる。脂肪族化合物に対するカチオン性界面活性剤の重量比は、ゲルマトリックスの形成の面から、好ましくは約１：１ないし１：１０の範囲、より好ましくは１：１ないし１：４の範囲である。
【手続補正８】
【補正対象書類名】明細書
【補正対象項目名】００３９
【補正方法】変更
【補正の内容】
【００３９】
この注出キャップは、アンダーカット嵌合によりチューブ容器に組付き固定されて使用されるものであり、このチューブ容器には、約２０，０００ｍＰａ・ｓないし２５，０００ｍＰａ・ｓの粘度を有し、カチオン性界面活性剤と脂肪族化合物からなるゲルマトリックスからなる毛髪コンディショニング組成物を収容している。この毛髪コンディショニング組成物は、容器の本体をスクイズすることによって、注出開口部２０を経由して容器から注出することができる。